(57)【要約】【課題】取りはずし作業が容易であり、部品の落下や紛失を防止でき、各部品の位置合せが容易で正確であり、部品点数が少なく、巾木の配列の微調整が可能である加工性、組付性、経済性にすぐれた足場装置における巾木の取付装置を提供する。【解決手段】建材１と横架材２とからなる建枠３に横架材を介して足場板４を架設し、足場板の両側に複数の巾木５を直列に配設して足場板の両側の隙間を塞いでいる足場装置において、巾木が巾木本体６と、巾木本体の正面に結合した隙間塞ぎ板７と、巾木本体の一端背面に結合されると共にロックピン８を備えた取付金具９と、巾木本体の他端上部に形成した一つ又は複数の保止孔１０とで構成され、直列に連続する各巾木の一端を上記取付金具を介してそれぞれ建材が着脱自在に結合し、隣接する一方の巾木の他端を他方の巾木側の取付金具に引掛けると共にロックピンを任意の保止孔に挿入させて固定させることを特徴とする。【選択図】　　　　図６
2004060167.tif 000002
【特許請求の範囲】
【請求項１】
建材と横架材とからなる建枠に横架材を介して足場板を架設し、足場板の両側に複数の巾木を直列に配設して足場板の両側の隙間を塞いでいる足場装置において、巾木が巾木本体と、巾木本体の正面に結合した隙間塞ぎ板と、巾木本体の一端背面に結合されると共にロックピンを備えた取付金具と、巾木本体の他端上部に形成した一つ又は複数の保止孔とで構成され、直列に連続する各巾木の一端を上記取付金具を介してそれぞれ建材が着脱自在に結合し、隣接する一方の巾木の他端を他方の巾木側の取付金具に引掛けると共にロックピンを任意の保止孔に挿入させて固定させることを特徴とする足場装置における巾木の取付装置
【請求項２】
巾木が板状の巾木本体と、巾木本体の上端に形成した断面逆Ｌ字状の引掛片と巾木本体の正面下端にて水平方向に結合した隙間塞ぎ板と、引掛片の一端背面に結合した取付金具と引掛片の他端上部に形成した一つ又は複数の保止孔とで構成され、上記取付金具は半円状の保止溝を備えた抱持片と、抱持片に上記保止溝と対向してスライド自在に取付けた楔と、抱持片の正面側に設けた上向きのフックと、抱持片に上下方向移動自在に挿入されると共に上端に下向きのストップピンを形成したロックピンとからなり、各巾木の一端を抱持片と楔とを介して建材に結合し、当該巾木の他端を他方の巾木における取付金具のフックに引掛片を介して引掛け、更に保止孔の一つにストップピンを差込んで固定している請求項１に記載の足場装置における巾木の取付装置
【請求項３】
巾木本体の中間に背面方向に膨出した断面コ字状の補強部を形成し、抱持片の下方に二又状の当板を連設し、抱持片を引掛片の背面に固定し、当板を補強部の背面に固定している請求項２に記載の足場装置における巾木の取付装置
【発明の詳細な説明】
【０００１】
【発明の属する技術分野】
本発明は、建築現場、土木工事場で使用され、足場板の両側に形成されている隙間を塞ぐ巾木を備えた枠組足場、支保工等の足場装置における巾木の取付装置に関する。
【０００２】
【従来の技術】
一般に、建築現場、土木工事現場で使用される枠組足場等の足場装置は、建材と横架材とからなる建枠を多数平行に起立し、この建枠間に足場板を架設している。
【０００３】
この場合、建枠と足場板の両側には隙間が長手方向に形成され、この隙間から工具等の物体が落下するおそれがある。
【０００４】
そこで、この隙間を塞ぐため足場板の両側に長手方向に沿っていわゆるつま先板たる巾木を配設した足場装置が、例えば、特開平８−１００５２１号に開示され、実際に使用もされている。
【０００５】
この巾木は、垂直に起立する巾木本体と、巾木本体の下部に水平方向に向けて結合した隙間塞ぎ板とで構成され、巾木本体はクランプ、ブラケット、継手等を介して建枠に結合し、隙間塞ぎ板は足場板の上面に重ねて配置して使用されている。
【０００６】
【発明が解決しようとする課題】
上記巾木は、普通に使用されている場合には構造上特に欠陥は無いが、次のような不具合の改善が望まれている。
【０００７】
第１に、クランプ、ブラケット、継手等が独立しているため、これらの取付金具をそれぞれ独立して組付けるために取付作業が面倒で困難である。
【０００８】
第２に、取付金具が独立しているから、各部材を落下させたら紛失させてしまうおそれがある。
【０００９】
第３に、取付金具が独立しているために各部材の位置合せが困難であり、正確に組付けないと巾木側の隙間塞ぎ板と足場板との間に隙間が発生してしまうおそれがある。
【００１０】
第４に、取付金具の部品点数が多く、構造が複雑でコストアップとなる。
【００１１】
第５に、足場板の両側に複数巾木を配置する場合、足場板や巾木の長さに違いがあると、均一に巾木を配列できず、微調整が困難である。
【００１２】
そこで、本発明の目的は取付、取りはずし作業が容易であり、部品の落下や紛失を防止でき、各部品の位置合せが容易で正確であり、部品点数が少なく、巾木の配列の微調整が可能である加工性、組付性、経済性にすぐれた足場装置における巾木の取付装置を提供することである。
【００１３】
【課題を解決するための手段】
上記の目的を達成するため、本発明の手段は、建材と横架材とからなる建枠に横架材を介して足場板を架設し、足場板の両側に複数の巾木を直列に配設して足場板の両側の隙間を塞いでいる足場装置において、巾木が巾木本体と、巾木本体の正面に結合した隙間塞ぎ板と、巾木本体の一端背面に結合されると共にロックピンを備えた取付金具と、巾木本体の他端上部に形成した一つ又は複数の保止孔とで構成され、直列に連続する各巾木の一端を上記取付金具を介してそれぞれ建材に着脱自在に結合し、隣接する一方の巾木の他端を他方の巾木側の取付金具に引掛けると共にロックピンを任意の保止孔に挿入させて固定させることを特徴とするものである。
【００１４】
この場合、巾木が板状の巾木本体と、巾木本体の上端に形成した断面逆Ｌ字状の引掛片と、巾木本体の正面下端に水平方向に結合した隙間塞ぎ板と、引掛片の一端背面に結合した取付金具と、引掛片の他端上部に形成した一つ又は複数の保止孔とで構成され、上記取付金具は半円状の保止溝を備えた抱持片と抱持片に上記保止溝と対向してスライド自在に取付けた楔と抱持片の正面側に設けた上向きフックと、抱持片に上下方向移動自在に挿入されると共に上端に下向きのストップピンを形成したロックピンとからなり、各巾木の一端を抱持片と楔とを介して建材に結合し、当該巾木の他端を他方の巾木における取付金具のフックに引掛片を介して引掛け、更に保止孔の一つにストップピンを差込んで固定しているのが好ましい。
【００１５】
更に、巾木本体の中間に背面方向に膨出した断面コ字状の補強部を形成し、抱持片の下方に二又状の当板を連設し、抱持片を引掛片の背面に固定し、当板を補強部の背面に固定しているのが好ましい。
【００１６】
【発明の実施の形態】
以下に、本発明の実施の形態を図に基づいて説明するが、図１、図４、図６に示すように、本発明に係わる足場装置は、従来と同じく、建材１と横架材２とからなる建枠３に横架材２とフック４ａを介して足場板４を架設し、足場板４の両側に複数の巾木５を直列に配設して足場板３の両側の隙間を塞いでいるものである。
【００１７】
そして、本発明は、巾木５が巾木本体６と、巾木本体６の正面に結合した隙間塞ぎ板７と、巾木本体６の一端背面に結合されると共にロックピン８を備えた取付金具９と、巾木本体５の他端上部に形成した一つ又は複数の保止孔１０、１０とで構成されている。
【００１８】
そして、直列に連続する各巾木５の右側一端を上記取付金具９を介してそれぞれ建材９に着脱自在に結合し、隣接する一方たる右側の巾木５の左側他端を他方たる左方の巾木側の取付金具９に引掛けると共にロックピン８を任意の保止孔１０に挿入させて固定させるものである。
【００１９】
更に、詳しく説明すると、本発明の一実施の形態に係わる巾木５が図６に示すように、板状の巾木本体６と、巾木本体６の上端に形成した断面逆Ｌ字状の引掛片１１と、巾木本体６の正面下端に水平方向に結合した隙間塞ぎ板７と、引掛片１１の一端たる右側背面に結合した取付金具９と、引掛片１１の他端たる左側上部に形成した一つ又は複数の保止孔１０、１０とで構成されている。
【００２０】
更に、上記取付金具９は、図４に示すように、半円状の保止溝を備えた抱持片１３と、抱持片１３のガイド１５に上記保止溝１２と対向してスライド自在に取付けた楔１４と、抱持片１３の正面側に設けた上向きのフック１６と、抱持片１３の孔１７に上下方向移動自在に挿入されると共に本体８ａ上端に下向きのストップピン１８を形成したロックピン８とからなっている。
【００２１】
そして、巾木５の一端たる右側を抱持片１３と楔１４とを介して建材１に結合し、当該巾木５の他端たる左側を他方の巾木５における取付金具９のフック１６に引掛片を介して引掛け、更に保止孔１０の一つにストップピン１８を差込んで固定している。
【００２２】
巾木本体６は、一枚の板でも良く、抱持片１３は、一枚の水平板でも良いが、図６に示すように、巾木本体６の中間に背面方向に膨出した断面コ字状の補強部１９を形成し、抱持片１３の下方に垂直部２０を介して二又状の当板２１を連設し、抱持片１３を引掛片１１の背面に固定し、当板２１を補強部１９の背面に固定しても良い。
【００２３】
次に、取付順序を説明するが、あらかじめ、図１に示すように、横架材２にフック４ａを介して足場板４を長手方向に沿って直列に多数配置する。
【００２４】
次に、一つの巾木５の右側を取付金具９を介して建材１に結合し、次に、図４に示すように、隣接する他方の巾木５を上記右側の巾木５に対向して左側の巾木５を上記と同じく取付金具９を介して建材１に結合する。
【００２５】
この状態で上記右側の巾木５の左側を右側の巾木５における取付金具９にロックピン８を介して結合させる。
【００２６】
図６に示すように、先ず隙間塞ぎ板７を足場板３上に当接させ、次いで、取付金具９を締結するが、この場合、取付金具９は抱持片１５の保止溝１２を建材１の外周に挿入し、下方の当板２１の溝を同じく建材１の外周に当接し、この状態でガイド１５に沿って楔１４を打ち込み保止溝１２と楔１４とで建材１を挟持する。
【００２７】
このように取付金具９をケンザイ１に固定させた状態で、図６に示すように、他方の巾木５をこの取付金具９に近づけ、この巾木５の引掛片１１を取付金具９側の上向きフック１６に引掛ける。
【００２８】
次いで、ロックピン８を回転させながら任意の保止孔１０の一つに位置合わせし、この保止孔１０にストップピン１８を挿入し、巾木の弛みを防止する。
【００２９】
【発明の効果】
本発明によれば次の効果がある。
【００３０】
１）巾木本体と取付金具とが一体結合されているから巾木本体と隙間塞ぎ板と取付金具が同時に着脱でき、部品がばらばらにならず、単独で落下したり紛失したりするのが防止できる。
【００３１】
２）同じく、部品が一体結合させているから、建材や足場板に対する各部品間の位置合わせ、組付けが同じに行なえ、且つ正確に行える。
【００３２】
特に、隙間塞ぎ板を足場板に置きその状態で取付金具を締結できるので隙間塞ぎ板と足場板との間の隙間を完全に塞ぐことが出来る。
【００３３】
３）同じく、保止孔が複数設けられているので、巾木や足場板の長さが異なっても任意の保止孔にロックピンを挿入することで位置合わせが微調整できる。
【００３４】
４）同じく、取付金具が一つだけで巾木本体に一体結合されているだけであるから部品点数が少なく、コンパクトで加工性、組付性、経済性に優れている。
【図面の簡単な説明】
【図１】巾木と枠組足場の正面図である。
【図２】図１の左側一部拡大正面図である。
【図３】図１の右側一部拡大正面図である。
【図４】巾木と枠組足場の一部拡大平面図である。
【図５】図４の正面図である。
【図６】図４のＡ−Ａ’線右側図面である。
【符号の説明】
１　建材
２　横架材
３　建枠
４　足場板
５　巾木
６　巾木本体
７　隙間
８　ロックピン
９　取付金具
１０　係止孔
１２　引掛溝
１３　抱持片
１４　楔
１６　フック
１８　ストップピン
【図１】
2004060167.tif 000003
【図２】
2004060167.tif 000004
【図３】
2004060167.tif 000005
【図４】
2004060167.tif 000006
【図５】
2004060167.tif 000007
【図６】
2004060167.tif 000008